(57)【特許請求の範囲】
【請求項１】
扱胴（１）を軸装する扱胴軸（２）と、脱穀室（６）の後端部から掻出されたわら屑を処理する後側の処理胴（６９）及び二番還元された未処理物を脱穀処理する前側の処理胴（３）を同軸で軸装する処理胴軸（４）とを平行させて軸装した複胴形態の脱穀装置（５）において、これら扱胴（１）を軸装する脱穀室（６）乃至前側の処理胴（３）を軸装する処理室（３９）の前壁（７）の前側面に沿って、入力軸（８）から前記処理胴軸（４）を連動するベベルギヤ（９，１０）と該処理胴軸（４）から扱胴軸（２）を連動するスパーギヤ（１１，１２，１３）とを内装したギヤケース（１４）を該前壁（７）の穀稈供給口（４５）の奥側の最も応力の集中し易い個所を補強するように上下方向に取付け、前記脱穀装置（５）の穀稈移送口（４４）の外側壁部に装着して脱穀装置（５）に穀稈を供給するフィードチェン（４７）のチェンレール（７３）を、前後一対の平行リンク（７４）で上下動可能に支持し、該チェンレール（７３）を下降すると、フィードチェン（４７）の張りが緩まって前記穀稈移送口（４４）が開放されて、穀稈移送口（４４）下部の網カバー（７５）を取外すことができるように構成したことを特徴とする脱穀装置。
【発明の詳細な説明】
【０００１】
【発明の属する技術分野】
この発明は、脱穀装置に関する。
【０００２】
【発明が解決しようとする課題】
扱胴と処理胴とを有する複胴形態の脱穀装置では、これら両扱胴軸と処理胴軸との間を直接にベルト伝動やチェン伝動で行う形態が多いが、減速比の設定が難しく、騒音の発生し易いものである。また、穀稈移送口下部の網カバーは、チェンレールの前側又は後側を支点として、外側に大きく開放しないと取り外せない構成であった。
【０００３】
【課題を解決するための手段】
この発明は、扱胴（１）を軸装する扱胴軸（２）と、脱穀室（６）の後端部から掻出されたわら屑を処理する後側の処理胴（６９）及び二番還元された未処理物を脱穀処理する前側の処理胴（３）を同軸で軸装する処理胴軸（４）とを平行させて軸装した複胴形態の脱穀装置（５）において、これら扱胴（１）を軸装する脱穀室（６）乃至前側の処理胴（３）を軸装する処理室（３９）の前壁（７）の前側面に沿って、入力軸（８）から前記処理胴軸（４）を連動するベベルギヤ（９，１０）と該処理胴軸（４）から扱胴軸（２）を連動するスパーギヤ（１１，１２，１３）とを内装したギヤケース（１４）を該前壁（７）の穀稈供給口（４５）の奥側の最も応力の集中し易い個所を補強するように上下方向に取付け、前記脱穀装置（５）の穀稈移送口（４４）の外側壁部に装着して脱穀装置（５）に穀稈を供給するフィードチェン（４７）のチェンレール（７３）を、前後一対の平行リンク（７４）で上下動可能に支持し、該チェンレール（７３）を下降すると、フィードチェン（４７）の張りが緩まって前記穀稈移送口（４４）が開放されて、穀稈移送口（４４）下部の網カバー（７５）を取外すことができるように構成したことを特徴とする脱穀装置の構成とする。
【０００４】
【発明の効果】
入力軸８の駆動によってギヤケース１４内のベベルギヤ９，１０を介して処理胴軸４及び処理胴３，６９が回転されると共に、この処理胴軸４から同ギヤケース１４内のスパーギヤ１１，１２，１３を介して扱胴軸２及び扱胴１へ伝動される。このようなギヤケース１４が脱穀室６乃至処理室３９の前壁７の前側面に沿って該前壁７の穀稈供給口４５の奥側の最も応力の集中し易い個所を補強するように上下方向に取付けられるために、該扱胴軸２を軸装する前壁７部の強度を増すことができ、安定した脱穀フレームの構成とすることができる。又、ギヤケース１４は、スパーギヤ１１，１２，１３が前壁７部に沿って並べられるために、薄い構成とすることができ、他の軸や伝動構成等の前壁７から前方への突出を短かくすることができ、減速比を適宜に設定し易くして、騒音を小さくできる。
また、チェンレール７３を上昇させると、フィードチェン４７は上方の挾扼杆４８に接近して穀稈は挾持搬送しうる状態となるが、チェンレール７３を下降Ｂさせると、フィードチェン４７の張りが緩まって、穀稈移送口４４を開放し易く、この穀稈移送口４４下部の網カバー７５を取外し易くなる。そして、脱穀網４２の交換、着脱等のメンテナンスが行い易くなる。
【０００５】
【発明の実施の形態】
コンバインは、クローラ走行装置１５を有する車体１６上に、前部一側には、穀稈引起装置１７や刈刃装置１８、穀稈搬送装置１９等を有した刈取フレーム２０を懸架させて昇降可能に設けて、刈取装置２１を構成し、この刈取装置２１から搬送される穀稈を受継して挾持搬送しながら脱穀する脱穀装置５が車体１６の後部に搭載される。又、車体１６の他側部には、操縦台２２や操縦席２３、脱穀された穀粒を収容するグレンタンク２４、このグレンタンク２４内の穀粒を機外へ取出す排穀オーガ２５等を搭載している。エンジンＥは、該操縦席２３の下側に搭載して、走行装置１５や刈取装置２１、脱穀装置５、及び排穀オーガ２５等を伝動する。
【０００６】
２６はエンジン軸で、ベルト２７を介してミッションケース２８の油圧無段変速装置ＨＳＴを伝動し、このミッションケース２８の動力取出軸２９からは、ベルトテンションクラッチ３０を介して刈取装置２１各部を伝動する刈取入力軸３１を伝動し、ミッションケース２８下端のホイル軸３２から左右のクローラ走行装置１５の駆動スプロケット３３を伝動する。又、エンジン軸２６からはベルト３４でカウンタ軸３５を伝動し、このカウンタ軸３５から、ベルトテンションクラッチ３６等を介してグレンタンク２４の送出オーガ３７や排穀オーガ２５等を伝動する。更に、このカウンタ軸３５からベルトテンションクラッチ３８を介して脱穀装置５前側の入力軸８を伝動する。
【０００７】
前記脱穀装置５は、上部に扱胴軸２と処理胴軸４とを平行にして軸装する脱穀室６及び処理室３９を設け、これらの後側には排稈室４０、及び吸引排塵機４１等を配置している。脱穀室６の下側部には脱穀網４２を設け、上側は脱穀カバー４３を設け、外側の穀稈移送口４４には、前側の穀稈供給口４５から後端の排出口４６に亘って、下側にフィードチェン４７を掛け渡し、上側には挾扼杆４８を設けて、脱穀穀稈の株元部を挾持搬送しながら脱穀させる。又、処理室３９の後端には揺動選別棚４９の上面に処理物を掻出す掻出口５０を設ける。
【０００８】
この処理室３９では、脱穀室６から脱穀網４２を経て直接送込まれる脱穀物や、下部の選別室５１で選別されて二番揚穀機５２で還元される未処理物等を脱穀処理する。
この処理室３９の脱穀室６との間は脱穀網４２で仕切られるが、底部は板金製の処理樋６７で、後端部に二番受樋５５との間の二番揚穀機５２がのぞまされ、前端部に排出口６６が設けられ、揺動選別棚４９の前端部上面に開口される。
【０００９】
この処理室３９の後方には脱穀室６後部の掻出口６８と排稈室４０との横側に沿って排わら処理胴（後側の処理胴）６９を該処理胴軸４と同軸として軸装する排わら処理室７０を設け、後端には排出口７１を設けて、下部の揺動選別棚４９の後部上にのぞませている。脱穀室６の後端部から掻出口６８を通して排わら処理室７０に掻出されたわら屑は、この排わら処理胴６９の回転と処理網７２との間で処理されて、処理物はこの処理網７２から揺動選別棚４９上に漏下されると共に、わら屑も排塵口７１から排出される。
【００１０】
前記処理胴（前側の処理胴）３の径は、排わら処理胴６９の径よりも小径に設定しているが、同径に形成するもよい。又、これら処理胴３の軸２をできるだけ下位に軸装することにより、この処理室３９の排出口６６から揺動選別棚４９上への処理物の拡散効果を、脱穀網４２に邪魔されることなく、よくすることができる。
これら脱穀室６や処理室３９の下方の選別室５１には、揺動選別棚４９、及びこの揺動選別棚４９で選別される選別物を唐箕５３からの選別風で風選する選別風路５４、選別物を受ける一番受樋５６，二番受樋５５等を配置する。この選別風路５４の後端は揺動選別棚４９の後部を吹き抜けて上側の排稈室４０を吸引排塵機４１へ吸引される。
【００１１】
前記脱穀室６の前側の前壁７は、穀稈供給口４５の上方部で扱胴１が扱胴軸２で軸装され、この供給口４５の奥側、即ち穂先部側の処理室３９の前側面に亘って形成される。５７はこの供給口４５の奥側に上下方向に亘って設けた縦フレームで、扱胴軸２の上方を横方向に亘って設けられる横フレーム５８と直交状にして連結している。該供給口４５の下側で前壁７の前側には供給漏斗５９が設けられる。又、処理室３９の前側の壁面は、該前壁７と同一面に形成したが、この前壁７よりも後退して、この前壁７との間に適宜の間隔部を形成するもよい。
【００１２】
伝動機構のギヤケース１４は、前壁７の前側面に沿ってボルト締めによって固定される。このギヤケース１４は、穀稈供給口４５の奥側で上下方向に長くして設けられ、下端部に処理胴軸４を、この上側にスパーギヤ１２のギヤ軸６０を、上端部にプーリ６３を有した出力軸６４を軸装して、これら出力軸６４と扱胴軸２のプーリ６２との間にベルト６１を掛け渡している。処理胴軸４の外側方には入力軸８を軸受してベベルギヤ９，１０で処理胴軸４を伝動する。この入力軸８の外側端にはプーリ６５を有して前記ベルトテンションクラッチ３８を介してカウンタ軸３５から伝動する。
【００１３】
このように、ギヤケース１４は前壁７の前面に沿って上下方向に亘って取付けられ、供給口４５の奥側の最も応力の集中し易い個所を補強することができるため、構成を簡潔化でき、下位の処理胴軸４と上部の扱胴軸２との間で、スパーギヤ１１〜１４による減速比の設定が行い易く、出力軸６４と扱胴軸２との関係位置をほぼ水平状の位置にして、ベルト６１による伝動間隔を短かくでき、又このベルト６１の下辺が穀稈供給口４５に露出して供給穀稈に触れることも少い。
【００１４】
図８、図９において、上例と異なる点は、脱穀装置５の穀稈移送口４４の外側壁部に装着するフィードチェン４７のチェンレール７３を、前後一対の平行リンク７４で、上下動可能に支持して取付ける。このチェンレール７３を上昇Ａさせると、フィードチェン４７は上方の挾扼杆４８に接近して穀稈を挾持搬送しうる状態となり、チェンレール７３を下降Ｂさせると、フィードチェン４７の張りが緩まって、穀稈移送口４４を開放し易く、この穀稈移送口４４下部の網カバー７５を取外し易くし、脱穀網４２の交換、着脱等のメンテナンスを行い易くする。
【００１５】
前記平行リンク７４は、網カバー７５の外側に取付けられる。フィードチェン４７はチェンレール７３の前後端のスプロケット７６，７７に亘って掛け渡し、脱穀フレーム７８の前部に取付ける伝動ケース７９の駆動スプロケット８０によって駆動することができる。
【図面の簡単な説明】
【図１】  脱穀装置部の正面図。
【図２】  その一部の一部展開する側面図。
【図３】  伝動経路図。
【図４】  脱穀装置の側断面図。
【図５】  その正断面図。
【図６】  コンバインの側面図。
【図７】  その正面図。
【図８】  一部別実施例を示すフィードチェン部の側面図。
【図９】  その正面図。
【符号の説明】
１  扱胴
２  扱胴軸
３  処理胴（前側の処理胴）
４  処理胴軸
５  脱穀装置
６  脱穀室
７  前壁
８  入力軸
９  ベベルギヤ
１０  ベベルギヤ
１１  スパーギヤ
１２  スパーギヤ
１３  スパーギヤ
１４  ギヤケース
３９  処理室
４４  穀稈移送口
４５ 穀稈供給口
４７  フィードチェン
６９  排わら処理胴（後側の処理胴）
７３  チェンレール
７４  前後一対の平行リンク
７５  網カバー
【図１】
0003982031.tif 000002
【図２】
0003982031.tif 000003
【図３】
0003982031.tif 000004
【図４】
0003982031.tif 000005
【図５】
0003982031.tif 000006
【図６】
0003982031.tif 000007
【図７】
0003982031.tif 000008
【図８】
0003982031.tif 000009
【図９】
0003982031.tif 000010